(57)【要約】【課題】外開き扉と内開き扉のいずれの開き扉に対しても使用できる芳香器を提供する。【解決手段】開き扉の開閉によってアクチュエータを押圧し、アクチュエータの動きを芳香剤に伝達し、芳香剤を動作させて外部に香りを拡散させる芳香器であって、アクチュエータとして、軸４ａを中心にして回転可能、かつ、軸４ａに直交する方向に移動可能なホイールボタン４を備えることを特徴とする芳香器。【選択図】図４
2018117730.tif 000002
【特許請求の範囲】
【請求項１】
開き扉の開閉によってアクチュエータを押圧し、前記アクチュエータの動きを芳香剤に伝達し、前記芳香剤を動作させて外部に香りを拡散させる芳香器であって、前記アクチュエータとして、軸を中心にして回転可能、かつ、前記軸に直交する方向に移動可能なホイールボタンを備えることを特徴とする芳香器。
【請求項２】
芳香剤として、ポンプ式芳香剤を備え、前記ポンプ式芳香剤は、芳香剤本体と、ポンプと、を備え、前記芳香剤本体は、芳香剤液を収容する容器と、前記容器内の前記芳香剤液を毛細管現象により前記容器外に吸い出して揮発させる芯部材と、を備え、前記ポンプは、内部に空洞を有し、前記ホイールボタンによって押圧されることで前記空洞の容積が減少するとともに前記押圧の解除に伴って元の形状に自己復元する操作部と、前記操作部から一方向に突出して設けられ、前記芯部材の前記容器外に突出した部分を先端に設けた第１開口部に挿通した状態で収容する第１管部と、前記操作部から前記第１管部と直交する方向に突出して設けられ、前記ホイールボタンによる前記操作部の押圧に伴って前記ポンプ内の空気を先端に設けた第２開口部から外部に吐出するとともに、前記ホイールボタンによる前記操作部の前記押圧の解除に伴って外部の空気を前記第２開口部から前記ポンプ内に吸い込む第２管部と、を備えたことを特徴とする請求項１に記載の芳香器。
【請求項３】
芳香剤として、ノズル孔を設けた噴射用押しボタンを有するスプレー缶式芳香剤を備え、前記ホイールボタンによって前記噴射用押しボタンを押圧することを特徴とする請求項１に記載の芳香器。
【発明の詳細な説明】
【技術分野】
【０００１】
本発明は、居室やトイレなどの開き扉の開閉（動き）によってアクチュエータを押圧し、アクチュエータの動きを芳香剤に伝達し、芳香剤を動作させてトイレや居室内に香りを拡散させる芳香器に関するものである。
【背景技術】
【０００２】
例えばトイレの開き扉には、トイレに入るとき、外に引いて開ける外開き扉と、内に押して開ける内開き扉があるが、従来のこの種の芳香器では、例えば特許文献１に記載されているように、アクチュエータとして、蝶番などを軸として前後に開閉する開き扉の開閉によって前後動可能なロッドを備えるので、外開き扉に対しては芳香器が扉の開閉の邪魔にならず使用できる一方、内開き扉に対しては芳香器が扉の開閉の邪魔になり使用できない、という問題があった。
【先行技術文献】
【特許文献】
【０００３】
【特許文献１】実開昭６３−６８３４９号公報
【発明の概要】
【発明が解決しようとする課題】
【０００４】
本発明の目的は、外開き扉と内開き扉のいずれの開き扉に対しても使用できる芳香器を提供することにある。
【課題を解決するための手段】
【０００５】
１．開き扉の開閉によってアクチュエータを押圧し、前記アクチュエータの動きを芳香剤に伝達し、前記芳香剤を動作させて外部に香りを拡散させる芳香器であって、前記アクチュエータとして、軸を中心にして回転可能、かつ、前記軸に直交する方向に移動可能なホイールボタンを備えることを特徴とする芳香器。
１に記載の芳香器によれば、例えばトイレの開き扉が外開き扉の場合、その外開き扉が完全に閉じられた状態においてホイールボタンの一部を扉枠の戸当たりの背後に位置させるように、芳香器を外開き扉に、軸が水平になる縦向き或いは軸が垂直になる横向きに設置することで、外開き扉の開閉時に、ホイールボタンはその一部を扉枠の戸当たりに外開き扉の開閉方向となる前後方向から当接して軸を中心にして回転しながら荷重を受けてストロークすることが可能となり、そのホイールボタンの動きを芳香剤に伝達し、芳香剤を動作させてトイレ内に香りを拡散させることができる。また、トイレの開き扉が内開き扉の場合、その内開き扉が完全に閉じられた状態においてホイールボタンの一部を内開き扉の端部の背後に位置させるように、芳香器を壁に、軸が水平になる縦向き或いは軸が垂直になる横向きに設置することで、内開き扉の開閉時に、ホイールボタンはその一部を内開き扉の端部に内開き扉の開閉方向となる前後方向から当接して軸を中心にして回転しながら荷重を受けてストロークすることが可能となり、そのホイールボタンの動きを芳香剤に伝達し、芳香剤を動作させてトイレ内に香りを拡散させることができる。すなわち、外開き扉と内開き扉のいずれの開き扉に対しても芳香器が扉の開閉の邪魔にならず使用できる。
２．芳香剤として、ポンプ式芳香剤を備え、前記ポンプ式芳香剤は、芳香剤本体と、ポンプと、を備え、前記芳香剤本体は、芳香剤液を収容する容器と、前記容器内の前記芳香剤液を毛細管現象により前記容器外に吸い出して揮発させる芯部材と、を備え、前記ポンプは、内部に空洞を有し、前記ホイールボタンによって押圧されることで前記空洞の容積が減少するとともに前記押圧の解除に伴って元の形状に自己復元する操作部と、前記操作部から一方向に突出して設けられ、前記芯部材の前記容器外に突出した部分を先端に設けた第１開口部に挿通した状態で収容する第１管部と、前記操作部から前記第１管部と直交する方向に突出して設けられ、前記ホイールボタンによる前記操作部の押圧に伴って前記ポンプ内の空気を先端に設けた第２開口部から外部に吐出するとともに、前記ホイールボタンによる前記操作部の前記押圧の解除に伴って外部の空気を前記第２開口部から前記ポンプ内に吸い込む第２管部と、を備えたことを特徴とする１に記載の芳香器。
２に記載の芳香器によれば、ホイールボタンによってポンプ式芳香剤のポンプの操作部を押圧することで、ポンプ式芳香剤の芳香剤本体から揮発させた香りをポンプの吐出空気とともに例えばトイレ内に吐出させて拡散させることができる。
３．芳香剤として、ノズル孔を設けた噴射用押しボタンを有するスプレー缶式芳香剤を備え、前記ホイールボタンによって前記噴射用押しボタンを押圧することを特徴とする１に記載の芳香器。
３に記載の芳香器によれば、ホイールボタンによってスプレー缶式芳香剤の噴射用押しボタンを押圧することで、スプレー缶式芳香剤の噴射用押しボタンに設けたノズル孔からスプレー缶内に液化ガスなどとともに充填された芳香剤液を例えばトイレ内に霧状に噴射させて香りを拡散させることができる。
【発明の効果】
【０００６】
以上のように本発明によれば、開き扉の開閉によってアクチュエータを押圧し、アクチュエータの動きを芳香剤に伝達し、芳香剤を動作させて外部に香りを拡散させる芳香器において、アクチュエータとして、軸を中心にして回転可能、かつ、軸に直交する方向に移動可能なホイールボタンを備えることで、外開き扉と内開き扉のいずれに対しても使用できる芳香器を提供することができる。
【図面の簡単な説明】
【０００７】
【図１】本発明の実施例に係るポンプ式芳香器の斜視図である（実施例１）。
【図２】ポンプ式芳香器を前方から見た分解斜視図である。
【図３】ポンプ式芳香器を後方から見た分解斜視図である。
【図４】ポンプ式芳香器の前ケースを透明化した状態の斜視図である。
【図５】ポンプ式芳香器の正面断面図である。
【図６】ポンプ式芳香器の側面断面図である。
【図７】ポンプ式芳香器の動作状態を示す正面断面図である。
【図８】ポンプ式芳香器の動作状態を示す側面断面図である。
【図９】外開き扉に対するポンプ式芳香器の作用を示す図であり、（Ａ）は平面図、（Ｂ）はトイレの内側から見た正面図である。
【図１０】図９（Ｂ）の要部拡大側面図である。
【図１１】内開き扉に対するポンプ式芳香器の作用を示す図であり、（Ａ）は平面図、（Ｂ）はトイレの内側から見た正面図である。
【図１２】図１１（Ａ）の要部拡大図である。
【図１３】本発明の他の実施例に係るスプレー缶式芳香器の斜視図である（実施例２）。
【図１４】スプレー缶式芳香器の分解斜視図である。
【図１５】スプレー缶式芳香器の前ケースを開いた状態の斜視図である。
【図１６】スプレー缶式芳香器の要部正面断面図である。
【図１７】スプレー缶式芳香器の要部側面断面図である。
【図１８】スプレー缶式芳香器のホイールボタンの軸受け部を示す断面図である。
【図１９】スプレー缶式芳香器の動作状態を示す要部正面断面図である。
【図２０】スプレー缶式芳香器の動作状態を示す要部側面断面図である。
【図２１】外開き扉に対するスプレー缶式芳香器の作用を示す図であり、（Ａ）は平面図、（Ｂ）はトイレの内側から見た正面図である。
【図２２】図２１（Ｂ）の要部拡大側面図である。
【図２３】内開き扉に対するスプレー缶式芳香器の作用を示す図であり、（Ａ）は平面図、（Ｂ）はトイレの内側から見た正面図である。
【図２４】図２３（Ａ）の要部拡大図である。
【発明を実施するための形態】
【０００８】
以下、本発明の実施例を図面を参照して説明する。
【実施例１】
【０００９】
先ず、本発明を、居室やトイレなどの開き扉の開閉によってアクチュエータを押圧し、アクチュエータの動きを芳香剤に伝達し、芳香剤を動作させてトイレや居室内に香り拡散させるポンプ式芳香器に適用した実施例について、図１〜図１２を参照して説明する。
【００１０】
図１〜図８に示すように、本実施例に係るポンプ式芳香器１は、ケース２と、ポンプ式芳香剤３と、ホイールボタン４と、押し板５と、復帰スプリング６から構成されており、アクチュエータとしてホイールボタン４を備え、さらには芳香剤としてポンプ式芳香剤３を備えるものである。
【００１１】
ケース２は、前後二つ割構造であって、プラスチック製の前ケース２ａと後ケース２ｂの互いの四隅が図示しない木ネジで一体固定されている。ケース２内にはポンプ式芳香剤３の後述するポンプ１２が収容され、またこのポンプ１２の上には押し板５を挟んだ状態でホイールボタン４が収容され、さらにポンプ１２の左右両側には復帰スプリング６が収容されている。ケース２の底板部の中央部にはポンプ式芳香剤３の後述する芳香剤本体７の芯部材１０を挿通させるための開口部２ｃが設けられ、この開口部２ｃの左右両側には芳香剤本体７の後述する容器９をケース２の底側に着脱可能に保持するための左右一対の係合片２ｄが下方に向けて突出して設けられている。またケース２の前側壁部の中央部にはポンプ１２内の空気をケース２の外部に吐出させるとともに、ケース２の外部の空気をポンプ１２内に吸い込むためのノズル孔２ｅが設けられている。さらにケース２の天板部の中央部にはホイールボタン４の上部を突出させるための開口部２ｆが設けられ、この開口部２ｆの左右両側にはホイールボタン４を回転可能、かつ、上下動（上下ストローク）可能に軸支するための左右一対の軸受用長孔２ｇが対向して設けられている。
【００１２】
ポンプ式芳香剤３は、芳香剤本体７と、ポンプ１２から構成されており、付替用ボトルとしての芳香剤本体７を備えるものである。
【００１３】
芳香剤本体７は、芳香剤液８と、上部に口部９ａが設けられ、芳香剤液８を収容するプラスチック製で透明或いは半透明の容器９と、この容器９内に収容した芳香剤液８を毛細管現象により容器９外に吸い出して揮発させる芯部材１０と、容器９の口部９ａに着脱可能に挿嵌されて芯部材１０が挿通保持される中心孔１１ａが設けられたゴム製の栓部材１１から構成されている。容器９の口部９ａの外面には容器９をケース２の底側に着脱可能に保持するための環状の突部９ｂが設けられている。芯部材１０は合成繊維の混紡品を熱成型して棒状に成形したもので、容器９の口部９ａに挿嵌された栓部材１１の中心孔１１ａに挿通保持された状態で容器９の口部９ａに挿嵌保持され、その下部を容器９内に収容した芳香剤液８中に没入浸漬させた状態で、その上部を栓部材１１の中心孔１１ａから上方に突出させている。
【００１４】
ポンプ１２はゴム製である。ポンプ１２は、内部に空洞を有し、ホイールボタン４によって押圧されることで空洞の容積が減少するとともに押圧の解除に伴って元の形状に自己復元する楕円体形の操作部１２ａと、この操作部１２ａの下面中央部から下方に向けて突出して設けられ、下端（先端）に芯部材１０の直径よりも小径な円形の第１開口部１２ｂを設けた第１管部１２ｃと、操作部１２ａの外周側面から第１管部１２ｃと直交する前方に向けて突出して設けられ、前端（先端）にノズル孔２ｅのケース２内の端部直径よりも小径な円形の第２開口部１２ｄを設けた第２管部１２ｅと、を備え、全体としてＬ字形に形成されている。ポンプ１２は、ケース２内において、操作部１２ａの上面中央部（頂部）を押し板５の下面中央部に当接し、第１管部１２ｃの下端に設けた第１開口部１２ｂをケース２の底板部の中央部に設けられた開口部２ｃの直上に対向して配置するとともに、第２管部１２ｅの前端に設けた第２開口部１２ｄをケース２の前側壁部の中央部に設けられたノズル孔２ｅのケース２内の端部に挿嵌接続した状態で収容されている。
【００１５】
そして、芳香剤本体７は、芯部材１０において栓部材１１の中心孔１１ａから上方に突出させた上部を、ケース２の底板部の中央部に設けられた開口部２ｃからポンプ１２の第１管部１２ｃの下端に設けた第１開口部１２ｂを通して第１管部１２内に挿入しながら、容器９の口部９ａを、ケース２の底板部の中央部の開口部２ｃの左右両側から下方に向けて突出して設けられた左右一対の係合片２ｄの間に押し込み、容器９を、各係合片２ｄの下端部を容器９の口部９ａの外面に設けられた環状の突部９ｂの下側に係合させた抜け止め状態でケース２の底側に着脱可能に保持することで、ケース２の底側に着脱可能に装着されており、容器９内に収容した芳香剤液８を芯部材１０によって吸い上げてポンプ１２の第１管部１２ｃ内にて揮発させ、ポンプ１２内に香りを充満させるようになっている。ポンプ１２は、ホイールボタン４による押し板５を介しての操作部１２ａの押圧に伴ってポンプ１２内の空気を第２管部１２ｅの前端に設けた第２開口部１２ｄからケース２の前側壁部の中央部に設けられたノズル孔２ｅを通してケース２の外部に吐出させることで、ポンプ１２内に充満させた香りを吐出空気とともにケース２の外部に吐出させるとともに、ホイールボタン４による押し板５を介しての操作部１２ａの押圧の解除に伴ってケース２の外部の空気をノズル孔２ｅを通して第２開口１２ｄからポンプ１２内に吸い込むようになっている。
【００１６】
押し板５は、プラスチック製の矩形板であって、その左右中央部にてポンプ１２の操作部１２ａを覆った状態で、その左右両端部がポンプ１２の操作部１２ａから左右両側に突出する大きさを有しており、ホイールボタン４とその押圧対象のポンプ１２の操作部１２ａとの間に水平に配置されるとともに、前後左右動及び傾動が規制されて上下動のみが許容された状態でケース２内に収容されており、ホイールボタン４による押圧動作をポンプ１２の操作部１２ａの上面の略全面に伝達するものである。
【００１７】
ポンプ１２の左右両側に収容されている復帰スプリング６は、それぞれ、金属線材からなるコイルバネであって、押し板５の左右両端部とケース２の内面から突出して押し板５の左右両端部の下方に対向して位置するリブとの間に圧縮した状態で組み込まれており、押し板５とホイールボタン４を常時上方に付勢し、ホイールボタン４の押圧の解除に伴って押し板５とホイールボタン４を押圧前の元の位置に復帰させるものである。
【００１８】
ホイールボタン４は、プラスチック製の円盤であって、その両側面の中心からそれぞれ直角に突出して一直線上に配置した２本の軸４ａを設けており、両軸４ａをケース２の天壁部の中央部の開口部２ｆの左右両側に設けられている左右一対の軸受用長孔２ｇに回転可能、かつ、上下動可能に挿嵌することで、ケース２に水平な両軸４ａを中心にして回転可能、かつ、軸受用長孔２ｇの範囲内で上下動可能に軸支されている。
【００１９】
そして、以上のような構成を備える本実施例に係るポンプ式芳香器１を組み立てる際は、先ず、ホイールボタン４，押し板５，復帰スプリング６及びポンプ１２を、それぞれ、後ケース２ｂに組み付け、その後、その後ケース２ｂに前ケース２ｂを木ネジによって一体固定し、ホイールボタン４，押し板５，復帰スプリング６及びポンプ１２を内部に収容保持した状態でケース２を組み立て、最後に、そのケース２の底側に芳香剤本体７を装着するものである。
【００２０】
次に、本実施例に係るポンプ式芳香器１の作用について説明する。
【００２１】
先ず、例えばトイレの開き扉が外開き扉の場合について、図９（Ａ），図９（Ｂ），図１０を参照して説明する。図９（Ａ），図９（Ｂ），図１０において、１３ａは外開き扉（扉本体）、１４ａは蝶番、１５ａはレバー、１６ａは扉枠、１７ａは戸当たり、１８ａは壁である。なお、図９（Ａ），図９（Ｂ），図１０では外開き扉１３ａを左勝手で示している。
【００２２】
図９（Ａ），図９（Ｂ），図１０に示すように、トイレの開き扉が外開き扉１３ａの場合、ポンプ式芳香器１は、外開き扉１３ａと一体に動かすように、ケース２を例えば両面粘着テープ１９ａによって外開き扉１３ａに固着し、外開き扉１３ａに設置する。またこの際、ポンプ式芳香器１は、ケース２の前側壁部の中央部に設けられているノズル孔２ｅをトイレ内側に向けるように、ケース２の後側壁外面を両面粘着テープ１９ａによって外開き扉１３ａの（トイレ内側の）内面に固着し、外開き扉１３ａの内面に設置する。さらに、ポンプ式芳香器１は、外開き扉１３ａが完全に閉じられた状態においてホイールボタン４の上部をケース２の上面の中央部に設けられた開口部２ｆから扉枠１６ａの例えば天枠（横枠）の内面から下向きに突出した戸当たり１７ａの背後に突出させて位置させるように、ケース２の後側壁外面を両面粘着テープ１９ａによって外開き扉１３ａの内面の左上角部に固着し、外開き扉１３ａの内面の左上角部においてホイールボタン４の軸４ａが水平になる縦向きに設置する。
【００２３】
トイレの不使用時は外開き扉１３ａが完全に閉じられているので、ホイールボタン４は、復帰スプリング６の上方への付勢力と、軸４ａと軸受用長孔２ｇの上端との係合とによって、その上部をケース２の上面の中央部に設けられた開口部２ｆから上方に突出する位置に保持されており、これに伴ってポンプ１２の操作部１２ａが楕円体形状に保持されている（図５，図６参照。）。
【００２４】
トイレの使用に際して外開き扉１３ａを開くと、ホイールボタン４は、その上部を扉枠１６ａの天枠の戸当たり１７ａにその背後から当接して水平な軸４ａを中心にして回転しながら荷重を受けて押し下げられ、その下端で押し板５を介してポンプ１２の操作部１２ａを下方に押圧操作する。するとポンプ１２は、その操作部１２ａを圧縮変形させながら、ポンプ１２内の空気をケース２のノズル孔２ｅからトイレ内に吐出させ、ポンプ１２内に充満させた香りを吐出空気とともにケース２のノズル孔２ｅからトイレ内に拡散させる（図７，図８参照。）。
【００２５】
ホイールボタン４が扉枠１６ａの天枠の戸当たり１７ａを乗り越え、その戸当たり１７ａの押圧がなくなると、ホイールボタン４は、復帰スプリング６により押し板５を介して押し上げられ、その上部をケース２の上面の中央部に設けられた開口部２ｆから上方に突出する元の位置に復帰する。するとポンプ１２は、その操作部１２ａを元の楕円体形状に自己復元させながら、トイレ内の空気をケース２のノズル孔２ｅからポンプ１２内に吸い込む（図５，図６参照。）。
【００２６】
また、一旦開いた外開き扉１３ａを閉じると、ホイールボタン４は、その上部を扉枠１６ａの天枠の戸当たり１７ａにその手前から当接して水平な軸４ａを中心にして回転しながら荷重を受けて押し下げられるので、外開き扉１３ａを開いた時と同様にポンプ１２の操作部１２ａを下方に押圧操作してポンプ１２を作動させ、香りをトイレ内に拡散させる。さらに、ホイールボタン４が扉枠１６ａの天枠の戸当たり１７ａを乗り越え、その戸当たり１７ａの押圧がなくなると、ホイールボタン４は、外開き扉１３ａを開いた時と同様に、その上部をケース２の上面の中央部に設けられた開口部２ｆから上方に突出する元の位置に復帰し、トイレ内の空気をポンプ１２内に吸い込ませる。そして、トイレの１回の使用に際して外開き扉１３ａの開閉は２回行われるので、トイレの１回の使用に際して香りのトイレ内への拡散は４回行われる。また、芳香剤本体７を使い終わると、その芳香剤本体７をケース２の底側から抜き去り、別の未使用の芳香剤本体７をケース２の底側から装着することで、香りをトイレ内に拡散させることができる。
【００２７】
次に、トイレの開き扉が内開き扉の場合について、図１１（Ａ），図１１（Ｂ），図１２を参照して説明する。図１１（Ａ），図１１（Ｂ），図１２において、１３ｂは内開き扉（扉本体）、１４ｂは蝶番、１５ｂはレバー、１６ｂは扉枠、１７ｂは戸当たり、１８ｂは壁である。なお、図１１（Ａ），図１１（Ｂ），図１２では内開き扉１３ｂを右勝手で示している。
【００２８】
図１１（Ａ），図１１（Ｂ），図１２に示すように、トイレの開き扉が内開き扉１３ｂの場合、ポンプ式芳香器１は、内開き扉１３ｂと一体に動かさず静止させるように、ケース２を例えば両面粘着テープ１９ｂによって壁１８ｂに固着し、壁１８ｂに設置する。またこの際、ポンプ式芳香器１は、ケース２の前側壁部の中央部に設けられているノズル孔２ｅをトイレ内側に向けるように、ケース２の後側壁外面を両面粘着テープ１９ｂによって壁１８ｂの（トイレ内側の）内面に固着し、壁１８ｂの内面に設置する。さらに、ポンプ式芳香器１は、内開き扉１３ｂが完全に閉じられた状態においてホイールボタン４の上部をケース２の上面の中央部に設けられた開口部２ｆから内開き扉１３ｂの例えば左上角部の背後に突出させて位置させるように、ケース２の後側壁外面を両面粘着テープ１９ｂによって扉枠１６ｂの左側の縦枠の上端外側にある壁１８ｂの内面に固着し、扉枠１６ｂの左側の縦枠の上端外側にある壁１８ｂの内面においてホイールボタン４の軸４ａが垂直になる横向きに設置する。
【００２９】
トイレの不使用時は内開き扉１３ｂが完全に閉じられているので、ホイールボタン４は、復帰スプリング６の上方への付勢力と、軸４ａと軸受用長孔２ｇの上端との係合とによって、その上部をケース２の上面の中央部に設けられた開口部２ｆから上方に突出する位置に保持されており、これに伴ってポンプ１２の操作部１２ａが楕円体形状に保持されている（図５，図６参照。）。
【００３０】
トイレの使用に際して内開き扉１３ｂを開くと、ホイールボタン４は、その上部を内開き扉１３ｂの左上角部にその背後から当接して垂直な軸４ａを中心にして回転しながら荷重を受けて押し下げられ、その下端で押し板５を介してポンプ１２の操作部１２ａを下方に押圧操作する。するとポンプ１２は、その操作部１２ａを圧縮変形させながら、ポンプ１２内の空気をケース２のノズル孔２ｅからトイレ内に吐出させ、ポンプ１２内に充満させた香りを吐出空気とともにケース２のノズル孔２ｅからトイレ内に拡散させる（図７，図８参照。）。
【００３１】
内開き扉１３ｂがホイールボタン４を乗り越え、その内開き扉１３ｂの押圧がなくなると、ホイールボタン４は、復帰スプリング６により押し板５を介して押し上げられ、その上部をケース２の上面の中央部に設けられた開口部２ｆから上方に突出する元の位置に復帰する。するとポンプ１２は、その操作部１２ａを元の楕円体形状に自己復元させながら、トイレ内の空気をケース２のノズル孔２ｅからポンプ１２内に吸い込む（図５，図６参照。）。
【００３２】
また、一旦開いた内開き扉１３ｂを閉じると、ホイールボタン４は、その上部を内開き扉１３ｂにその手前から当接して垂直な軸４ａを中心にして回転しながら荷重を受けて押し下げられるので、内開き扉１３ｂを開いた時と同様にポンプ１２の操作部１２ａを下方に押圧操作してポンプ１２を作動させ、香りをトイレ内に拡散させる。さらに、内開き扉１３ｂがホイールボタン４を乗り越え、その内開き扉１３ｂの押圧がなくなると、ホイールボタン４は、内開き扉１３ｂを開いた時と同様に、その上部をケース２の上面の中央部に設けられた開口部２ｆから上方に突出する元の位置に復帰し、トイレ内の空気をポンプ１２内に吸い込ませる。そして、トイレの１回の使用に際して内開き扉１３ｂの開閉は２回行われるので、トイレの１回の使用に際して香りのトイレ内への拡散は４回行われる。また、芳香剤本体７が使い終わると、その芳香剤本体７をケース２の底側から抜き去り、別の未使用の芳香剤本体７をケース２の底側から装着することで、香りをトイレ内に拡散させることができる。
【００３３】
以上のように本実施例に係るポンプ式芳香器１は、外開き扉１３ａと内開き扉１３ｂのいずれの開き扉に対しても芳香器が扉の開閉の邪魔にならず使用できる。
【００３４】
なお、本実施例では押し板５と復帰スプリング６を備えているが、ホイールボタン４は、ポンプ１２の操作部１２ａの自己復元動作のみによって押し上げ、その上部をケース２の上面の中央部に設けられた開口部２ｆから上方に突出する元の位置に復帰させることもできるので、押し板５と復帰スプリング６は省略することができる。また、ポンプ式芳香器１のケース２，詳しくは後ケース２ｂの外開き扉１３ａ或いは壁１８ａへの固着は両面粘着テープ１９ａ，１９ｂで行っているが、その他ビス止めで行ってもよいし、固着用アタッチメントを備えてもよい。
【実施例２】
【００３５】
次に、本発明を、居室やトイレなどの開き扉の開閉によってアクチュエータを押圧し、アクチュエータの動きを芳香剤に伝達し、芳香剤を動作させてトイレや居室内に香り拡散させるスプレー缶（エアゾール）式芳香器に適用した実施例について、図１３〜図２４を参照して説明する。
【００３６】
図１３〜図２０に示すように、本実施例に係るスプレー缶式芳香器２１は、ケース２２と、スプレー缶（エアゾール）式芳香剤２３と、ホイールボタン２４から構成されており、アクチュエータとしてホイールボタン２４を備え、さらには芳香剤としてスプレー缶式芳香剤２３を備えるものである。
【００３７】
ケース２２は、前後二つ割構造であって、プラスチック製の前ケース２２ａと後ケース２２ｂの互いの上面がその継ぎ目に沿って横一列に設けられている複数のヒンジ部２２ｃで連結されており、そのヒンジ部２２ｃを支点にして前ケース２２ａが後ケース２２ｂ前方の閉位置（図１３，図１４，図１７，図１８，図２０参照。）と後ケース２２ｂ上方の開位置（図１５参照。）との間で回動（開閉）できるようになっている。ケース２２内にはスプレー缶式芳香剤２３の後述する噴射用押しボタン２３ｄが収容され、またこの噴射用押しボタン２３ｄの上にはホイールボタン２４が収容されている。ケース２２の底板部の中央部にはスプレー缶式芳香剤２３の後述するバルブステム２３ｂを挿通させるための開口部２２ｄが設けられ、この開口部２２ｄの左右両側には前ケース２２ａを閉位置にて後ケース２２ｂにパッチン止めに固定するための前ケース側係合部２２ｅ及び後ケース側係合部２２ｆがそれぞれ設けられている。またケース２の底側にはスプレー缶式芳香剤２３の後述するスプレー缶２３ａを着脱可能に保持するための缶ホルダ２２ｇが設けられている。またケース２２の前側壁部の中央部には噴射用押しボタン２３ｂの後述するノズル孔２３ｃの前端（先端）を上下動（上下ストローク）可能に挿嵌させる長孔２２ｈが設けられている。さらにケース２の天板部にはホイールボタン２４の上部を突出するための開口部２２ｉが設けられ、この開口部２２ｉの左右両側にはホイールボタン２４を回転可能、かつ、上下動（上下ストローク）可能に軸支するための左右一対の軸受用溝部２２ｊが対向して設けられているとともに、ホイールボタン２４の後述する軸２４ａを軸受用溝部２２ｊに抜け止め状態で挿嵌保持するための弾性を有する軸押え片２２ｋが設けられている。
【００３８】
スプレー缶式芳香剤２３は、液化ガスあるいは圧縮ガスと芳香剤液を、バルブを持つスチール製のスプレー缶２３ａに封入し、スプレー缶２３ａの上端から上方に向けて突出されているバルブステム２３ｂにＬ形に曲げたノズル孔２３ｃを設けたプラスチック製の噴射用押しボタン２３ｄを取り付けたものであり、噴射用押しボタン２３ｄをバルブ復帰スプリングの付勢力に抗して押し下げてバルブを開くと、ガスの力によって芳香剤液を含む内容物をバルブステム２３ｂから噴射用押しボタン２３ｄのノズル孔２３ｃを通して外部に霧状に噴射（吐出）させるものである。
【００３９】
ホイールボタン２４は、プラスチック製の円盤であって、その両側面の中心からそれぞれ直角に突出して一直線上に配置した２本の軸２４ａを設けており、両軸２４ａをケース２２の天壁部の開口部２２ｉの左右両側に設けられている左右一対の軸受用溝部２２ｊに回転可能、かつ、上下動可能に挿嵌することで、ケース２２に水平な両軸２４ａを中心にして回転可能、かつ、軸受用溝部２２ｊの範囲内で上下動（上下ストローク）可能に軸支されている。
【００４０】
ところで、本実施例ではホイールボタン２４を２つ備えており、これら２つのホイールボタン２４がケース２２内に、それぞれ、開口部２２ｉ，軸受用溝部２２ｊ，軸押え片２２ｋを介して左右に並べた状態で収容され、各ホイールボタン２４がそれぞれの水平な両軸２４ａを中心にして回転可能、かつ、軸受用溝部２２ｊの範囲内で上下動（上下ストローク）可能になっている。また、噴射用押しボタン２３ｄには、それを上面の左右中央部に一体形成する矩形の押し板２３ｅが設けられており、この押し板２３ｅの左右両側部が各ホイールボタン２４の直下に水平に配置され、各ホイールボタン２４による押圧動作を押し板２３ｅによって噴射用押しボタン２３ｄに伝達するようにしてある。
【００４１】
そして、以上のような構成を備える本実施例に係るスプレー缶式芳香器２１を組み立てる際は、先ず、前ケース２２ａを開いた状態で後ケース２２ｂに設けられた缶ホルダ２２ｇにその前方からスプレー缶２３ａを装着しながら、後ケース２２ｂに噴射用押しボタン２３ｄを収容し、その後、前ケース２２ａをヒンジ部２２ｃを支点にして前方の閉じ方向に回動させて後ケース２２ｂに前ケース２２ａを前ケース側係合部２２ｅ及び後ケース側係合部２２ｆによってパッチン止めに固定し、底側にスプレー缶２３ａを縦向きに装着保持し、また内部に噴射用押しボタン２３ｄを収容保持した状態でケース２２を組み立て、最後に、そのケース２２の軸受用溝部２２ｊにホイールボタン２４の軸２４ａを軸押え片２２ｋを押し退けながら押し込み、ケース２２の開口部２２ｊからホイールボタン２４をケース２２の内部に収容して装着するものである。
【００４２】
次に、本実施例に係るスプレー缶式芳香器２１の作用について説明する。
【００４３】
先ず、例えばトイレの開き扉が外開き扉の場合について、図２１（Ａ），図２１（Ｂ），図２２を参照して説明する。図２１（Ａ），図２１（Ｂ），図２２において、１３ａは外開き扉（扉本体）、１４ａは蝶番、１５ａはレバー、１６ａは扉枠、１７ａは戸当たり、１８ａは壁である。なお、図２１（Ａ），図２１（Ｂ），図２２では外開き扉１３ａを左勝手で示している。
【００４４】
図２１（Ａ），図２１（Ｂ），図２２に示すように、トイレの開き扉が外開き扉１３ａの場合、スプレー缶式芳香器２１は、外開き扉１３ａと一体に動かすように、ケース２２を例えば両面粘着テープ２５ａによって外開き扉１３ａに固着し、外開き扉１３ａに設置する。またこの際、スプレー缶式芳香器２１は、ケース２２の前側壁部の中央部に設けられている長孔２２ｈに挿嵌されているノズル孔２３ｃをトイレ内側に向けるように、ケース２２の缶ホルダ２２ｇの背面を両面粘着テープ２５ａによって外開き扉１３ａの（トイレ内側の）内面に固着し、外開き扉１３ａの内面に設置する。さらに、スプレー缶式芳香器２１は、外開き扉１３ａが完全に閉じられた状態においてホイールボタン２４の上部をケース２２の上面に設けられた開口部２２ｄから扉枠１６ａの例えば天枠（横枠）の内面から下向きに突出した戸当たり１７ａの背後に突出させて位置させるように、ケース２２の缶ホルダ２２ｇの背面を両面粘着テープ２５ａによって外開き扉１３ａの内面の左上角部に固着し、外開き扉１３ａの内面の左上角部においてホイールボタン２４の軸２４ａが水平になる縦向きに設置する。
【００４５】
トイレの不使用時は外開き扉１３ａが完全に閉じられているので、ホイールボタン２４は、スプレー缶式芳香剤２３のバルブ復帰スプリングの上方への付勢力による噴射用押しボタン２３ｄの押し板２３ｅの押し上げによって、その上部をケース２２の上面に設けられた開口部２２ｄから上方に突出する位置に保持されており、これに伴ってスプレー缶式芳香剤２３のバルブが閉じられている（図１６，図１７参照。）。
【００４６】
トイレの使用に際して外開き扉１３ａを開くと、ホイールボタン２４は、その上部を扉枠１６ａの天枠の戸当たり１７ａにその背後から当接して水平な軸２４ａを中心にして回転しながら荷重を受けて押し下げられ、その下端で押し板２３ａを介して噴射用押しボタン２３ｄを下方に押圧操作する。するとスプレー缶式芳香剤２３は、そのバルブを開いてスプレー缶２３ａの内容物をバルブステム２３ｂから噴射用押しボタン２３ｄのノズル孔２３ｃを通してトイレ内に霧状に噴射させて香りを拡散させる（図１９，図２０参照）。
【００４７】
ホイールボタン２４が扉枠１６ａの天枠の戸当たり１７ａを乗り越え、その戸当たり１７ａの押圧がなくなると、ホイールボタン２４は、スプレー缶式芳香剤２３のバルブ復帰スプリングの上方への付勢力による噴射用押しボタン２３ｄの押し板２３ｅの押し上げによって、その上部をケース２２の上面に設けられた開口部２２ｄから上方に突出する位置に復帰する。するとスプレー缶式芳香剤２３は、そのバルブが閉じられてスプレー缶２３ａの内容物の噴射を停止する（図１６，図１７参照。）。
【００４８】
また、一旦開いた外開き扉１３ａを閉じると、ホイールボタン２４は、その上部を扉枠１６ａの天枠の戸当たり１７ａにその手前から当接して水平な軸２４ａを中心にして回転しながら荷重を受けて押し下げられるので、外開き扉１３ａを開いた時と同様にスプレー缶式芳香剤２３の噴射用押しボタン２３ｄを下方に押圧操作してスプレー缶式芳香剤２３を作動させ、香りをトイレ内に拡散させる。さらに、ホイールボタン２４が扉枠１６ａの天枠の戸当たり１７ａを乗り越え、その戸当たり１７ａの押圧がなくなると、ホイールボタン２４は、外開き扉１３ａを開いた時と同様に、その上部をケース２２の上面に設けられた開口部２２ｄから上方に突出する元の位置に復帰し、スプレー缶式芳香剤２３のバルブを閉じてスプレー缶２３ａの内容物の噴射を停止させる。そして、トイレの１回の使用に際して外開き扉１３ａの開閉は２回行われるので、トイレの１回の使用に際して香りのトイレ内への拡散は４回行われる。また、スプレー缶式芳香剤２３を使い終わると、前ケース２２ａを開いてそのスプレー缶式芳香剤２３をケース２２から取り外し、別のスプレー缶式芳香剤２３をケース２２に装着して前ケース２２ａを閉じることで、香りをトイレ内に拡散させることができる。
【００４９】
次に、トイレの開き扉が内開き扉の場合について、図２３（Ａ），図２３（Ｂ），図２４を参照して説明する。図２３（Ａ），図２３（Ｂ），図２４において、１３ｂは外開き扉（扉本体）、１４ｂは蝶番、１５ｂはレバー、１６ｂは扉枠、１７ｂは戸当たり、１８ｂは壁である。なお、図２３（Ａ），図２３（Ｂ），図２４では内開き扉１３ｂを右勝手で示している。
【００５０】
図２３（Ａ），図２３（Ｂ），図２４に示すように、トイレの開き扉が内開き扉１３ｂの場合、スプレー缶式芳香器２１は、内開き扉１３ｂと一体に動かさず静止させるように、ケース２２を例えば両面粘着テープ２５ｂによって壁１８ｂに固着し、壁１８ｂに設置する。またこの際、スプレー缶式芳香器２１は、ケース２２の前側壁部の中央部に設けられている長孔２２ｈに挿嵌されているノズル孔２３ｃをトイレ内側に向けるように、ケース２２の缶ホルダ２２ｇの背面を両面粘着テープ２５ｂによって壁１８ｂの（トイレ内側の）内面に固着し、壁１８ｂの内面に設置する。さらに、スプレー缶式芳香器２１は、内開き扉１３ｂが完全に閉じられた状態においてホイールボタン２４の上部をケース２２の上面に設けられた開口部２２ｄから内開き扉１３ｂの例えば左上角部の背後に突出させて位置させるように、ケース２２の缶ホルダ２２ｇの背面を両面粘着テープ２５ｂによって扉枠１６ｂの左側の縦枠の上端外側にある壁１８ｂの内面に固着し、扉枠１６ｂの左側の縦枠の上端外側にある壁１８ｂの内面においてホイールボタン２４の軸２４ａが垂直になる横向きに設置する。
【００５１】
トイレの不使用時は内開き扉１３ｂが完全に閉じられているので、ホイールボタン２４は、スプレー缶式芳香剤２３のバルブ復帰スプリングの上方への付勢力による噴射用押しボタン２３ｄの押し板２３ｅの押し上げによって、その上部をケース２２の上面に設けられた開口部２２ｄから上方に突出する位置に保持されており、これに伴ってスプレー缶式芳香剤２３のバルブが閉じられている（図１６，図１７参照。）。
【００５２】
トイレの使用に際して内開き扉１３ｂを開くと、ホイールボタン２４は、その上部を内開き扉１３ｂの左上角部にその背後から当接して垂直な軸２４ａを中心にして回転しながら荷重を受けて押し下げられ、その下端で押し板２３ｅを介して噴射用押しボタン２３ｄを下方に押圧操作する。するとスプレー缶式芳香剤２３は、そのバルブを開いてスプレー缶２３ａの内容物をバルブステム２３ｂから噴射用押しボタン２３ｄのノズル孔２３ｃを通してトイレ内に霧状に噴射させて香りを拡散させる（図１９，図２０参照）。
【００５３】
内開き扉１３ｂがホイールボタン２４を乗り越え、その内開き扉１３ｂの押圧がなくなると、ホイールボタン２４は、スプレー缶式芳香剤２３のバルブ復帰スプリングの上方への付勢力による噴射用押しボタン２３ｄの押し板２３ｅの押し上げによって、その上部をケース２２の上面に設けられた開口部２２ｄから上方に突出する位置に復帰する。するとスプレー缶式芳香剤２３は、そのバルブが閉じられてスプレー缶２３ａの内容物の噴射を停止する（図１６，図１７参照。）。
【００５４】
また、一旦開いた内開き扉１３ｂを閉じると、ホイールボタン２４は、その上部を内開き扉１３ｂにその手前から当接して垂直な軸２４ａを中心にして回転しながら荷重を受けて押し下げられるので、内開き扉１３ｂを開いた時と同様にスプレー缶式芳香剤２３の噴射用押しボタン２３ｄを下方に押圧操作してスプレー缶式芳香剤２３を作動させ、香りをトイレ内に拡散させる。さらに、内開き扉１３ｂがホイールボタン２４を乗り越え、その内開き扉１３ｂの押圧がなくなると、ホイールボタン２４は、内開き扉１３ｂを開いた時と同様に、その上部をケース２２の上面に設けられた開口部２２ｄから上方に突出する元の位置に復帰し、スプレー缶式芳香剤２３のバルブを閉じてスプレー缶２３ａの内容物の噴射を停止させる。そして、トイレの１回の使用に際して内開き扉１３ｂの開閉は２回行われるので、トイレの１回の使用に際して香りのトイレ内への拡散は４回行われる。また、スプレー缶式芳香剤２３を使い終わると、前ケース２２ａを開いてそのスプレー缶式芳香剤２３をケース２２から取り外し、別のスプレー缶式芳香剤２３をケース２２に装着して前ケース２２ａを閉じることで、香りをトイレ内に拡散させることができる。
【００５５】
以上のように本実施例に係るスプレー缶式芳香器２１は、外開き扉１３ａと内開き扉１３ｂのいずれの開き扉に対しても芳香器が扉の開閉の邪魔にならず使用できる。
【００５６】
なお、本実施例ではホイールボタン２４を２つ（複数）備えているが、ホイールボタン２４は単一でもスプレー缶式芳香剤２３の噴射用押しボタン２３ｄを直接押し下げ操作することができ、ホイールボタン２４は単一で備えてもよい。また、スプレー缶式芳香器２１のケース２２，詳しくは缶ホルダ２２ｇの外開き扉１３ａ或いは壁１８ａへの固着は両面粘着テープ２５ａ，２５ｂで行っているが、その他ビス止めで行ってもよいし、固着用アタッチメントを備えてもよい。
【符号の説明】
【００５７】
１  ポンプ式芳香器（芳香器）
３  ポンプ式芳香剤（芳香剤）
４  ホイールボタン（アクチュエータ）
４ａ  軸
７  芳香剤本体
８  芳香剤液
９  容器
１０  芯部材
１２  ポンプ
１２ａ  操作部
１２ｂ  第１開口部
１２ｃ  第１管部
１２ｄ  第２開口部
１２ｅ  第２管部
１３ａ  外開き扉
１３ｂ  内開き扉
２１  スプレー缶式芳香器（芳香器）
２３  スプレー缶式芳香剤（芳香剤）
２３ｃ  ノズル孔
２３ｄ  噴射用押しボタン
２４  ホイールボタン（アクチュエータ）
２４ａ  軸
【図１】
2018117730.tif 000003
【図２】
2018117730.tif 000004
【図３】
2018117730.tif 000005
【図４】
2018117730.tif 000006
【図５】
2018117730.tif 000007
【図６】
2018117730.tif 000008
【図７】
2018117730.tif 000009
【図８】
2018117730.tif 000010
【図９】
2018117730.tif 000011
【図１０】
2018117730.tif 000012
【図１１】
2018117730.tif 000013
【図１２】
2018117730.tif 000014
【図１３】
2018117730.tif 000015
【図１４】
2018117730.tif 000016
【図１５】
2018117730.tif 000017
【図１６】
2018117730.tif 000018
【図１７】
2018117730.tif 000019
【図１８】
2018117730.tif 000020
【図１９】
2018117730.tif 000021
【図２０】
2018117730.tif 000022
【図２１】
2018117730.tif 000023
【図２２】
2018117730.tif 000024
【図２３】
2018117730.tif 000025
【図２４】
2018117730.tif 000026